(57)【要約】【課題】ＭＦＰ等の機器の各種情報を収集・設定する既存の仕組を利用することで、新たな設備の追加を行うことなく、機器のデフォルト設定を適正に管理する。【解決手段】ネットワークを介して接続された複数の機器の各種情報をサーバ側からセキュリティを確保して収集するとともに前記機器に各種情報を設定する本来機能を有したシステムであって、前記機器の機器ＩＤと当該機器の各種デフォルト設定とを対応付けて管理する手段と、前記機器から出力実績情報を収集し、各機器で使用される頻度の高い設定を算出する手段と、算出された設定を前記各種デフォルト設定と比較し、異なるデフォルト設定について該当する前記機器に対してデフォルト設定の変更を行う手段とを備える。【選択図】図２
2010009289.tif 000002
【特許請求の範囲】
【請求項１】
ネットワークを介して接続された複数の機器の各種情報をサーバ側からセキュリティを確保して収集するとともに前記機器に各種情報を設定する本来機能を有したシステムであって、
前記機器の機器ＩＤと当該機器の各種デフォルト設定とを対応付けて管理する手段と、前記機器から出力実績情報を収集し、各機器で使用される頻度の高い設定を算出する手段と、
算出された設定を前記各種デフォルト設定と比較し、異なるデフォルト設定について該当する前記機器に対してデフォルト設定の変更を行う手段と
を備えたことを特徴とする機器デフォルト設定管理システム。
【請求項２】
請求項１に記載の機器デフォルト設定管理システムにおいて、
前記機器の機器ＩＤと当該機器を使用したユーザのユーザＩＤとを対応付けて管理する手段と、
前記機器のいずれかに出力要求がされた際に、出力要求を行ったユーザのユーザＩＤおよび当該機器の機器ＩＤを伴う通知を受信する手段と、
受信した通知に含まれるユーザＩＤに対応する機器ＩＤを特定し、当該機器ＩＤに対応する第１の各種デフォルト設定を取得する手段と、
前記通知に含まれる機器ＩＤに対応する第２の各種デフォルト設定を取得する手段と、
前記第１および第２の各種デフォルト設定を比較し、異なるデフォルト設定について該当する前記機器に対してデフォルト設定の一時的な変更を行う手段と
を更に備えたことを特徴とする機器デフォルト設定管理システム。
【請求項３】
請求項２に記載の機器デフォルト設定管理システムにおいて、
前記機器は、前記出力要求に対応する出力動作の完了後に、当該機器のデフォルト設定を変更前の値に戻す
ことを特徴とする機器デフォルト設定管理システム。
【請求項４】
請求項１乃至３のいずれか一項に記載の機器デフォルト設定管理システムにおいて、
デフォルト設定が消失した前記機器に対し、当該機器について保持されている従前のデフォルト設定に基づいてデフォルト設定の復旧を行う手段
を更に備えたことを特徴とする機器デフォルト設定管理システム。
【請求項５】
ネットワークを介して接続された複数の機器の各種情報をサーバ側からセキュリティを確保して収集するとともに前記機器に各種情報を設定する本来機能を有したシステムに用いられる装置であって、
前記機器の機器ＩＤと当該機器の各種デフォルト設定とを対応付けて管理する手段と、
前記機器から出力実績情報を収集し、各機器で使用される頻度の高い設定を算出する手段と、
算出された設定を前記各種デフォルト設定と比較し、異なるデフォルト設定について該当する前記機器に対してデフォルト設定の変更を行う手段と
を備えたことを特徴とする機器デフォルト設定管理装置。
【請求項６】
請求項５に記載の機器デフォルト設定管理装置において、
前記機器の機器ＩＤと当該機器を使用したユーザのユーザＩＤとを対応付けて管理する手段と、
前記機器のいずれかに出力要求がされた際に、出力要求を行ったユーザのユーザＩＤおよび当該機器の機器ＩＤを伴う通知を受信する手段と、
受信した通知に含まれるユーザＩＤに対応する機器ＩＤを特定し、当該機器ＩＤに対応する第１の各種デフォルト設定を取得する手段と、
前記通知に含まれる機器ＩＤに対応する第２の各種デフォルト設定を取得する手段と、
前記第１および第２の各種デフォルト設定を比較し、異なるデフォルト設定について該当する前記機器に対してデフォルト設定の一時的な変更を行う手段と
を更に備えたことを特徴とする機器デフォルト設定管理装置。
【請求項７】
ネットワークを介して接続された複数の機器の各種情報をサーバ側からセキュリティを確保して収集するとともに前記機器に各種情報を設定する本来機能を有したシステムの制御方法であって、
前記機器の機器ＩＤと当該機器の各種デフォルト設定とを対応付けて管理する工程と、
前記機器から出力実績情報を収集し、各機器で使用される頻度の高い設定を算出する工程と、
算出された設定を前記各種デフォルト設定と比較し、異なるデフォルト設定について該当する前記機器に対してデフォルト設定の変更を行う工程と
を備えたことを特徴とする機器デフォルト設定管理方法。
【請求項８】
請求項７に記載の機器デフォルト設定管理方法において、
前記機器の機器ＩＤと当該機器を使用したユーザのユーザＩＤとを対応付けて管理する工程と、
前記機器のいずれかに出力要求がされた際に、出力要求を行ったユーザのユーザＩＤおよび当該機器の機器ＩＤを伴う通知を受信する工程と、
受信した通知に含まれるユーザＩＤに対応する機器ＩＤを特定し、当該機器ＩＤに対応する第１の各種デフォルト設定を取得する工程と、
前記通知に含まれる機器ＩＤに対応する第２の各種デフォルト設定を取得する工程と、
前記第１および第２の各種デフォルト設定を比較し、異なるデフォルト設定について該当する前記機器に対してデフォルト設定の一時的な変更を行う工程と
を更に備えたことを特徴とする機器デフォルト設定管理方法。
【発明の詳細な説明】
【技術分野】
【０００１】
本発明は、ＭＦＰ（Multi Function Printer）、ＬＰ（Laser Printer）等の機器のデフォルト設定を管理する機器デフォルト設定管理システムに関する。
【背景技術】
【０００２】
ＭＦＰ、ＬＰ等の機器では、モノクロ／カラー、片面印刷／両面印刷、自動給紙／手動給紙、ステイプル有／ステイプル無等の各種の設定に初期値としてのデフォルト設定がなされている。ユーザはプリント等の実行時に、デフォルト設定のままでよい場合には特に設定の変更を行う必要がないが、デフォルト設定とは異なる設定にしたい場合には設定の変更を要する。従って、ユーザが使用する頻度の高いデフォルト設定としておくことが、操作性を向上する上で効果的である。
【０００３】
このようなことから、オフィス等における機器の管理者は、ユーザの利用状況を把握し、ユーザが使用する頻度の高いデフォルト設定を人手によって行っている。
【特許文献１】特開２００４−２７２５９６号公報
【発明の開示】
【発明が解決しようとする課題】
【０００４】
上述したように、従来は人手によってデフォルト設定を行っていたため、管理者の負担が重いという問題があった。また、必ずしも適切なデフォルト設定となっていないため、プリント等の実行の都度にユーザが設定を変更しなければならない場合も多く、操作性が悪いという問題があった。
【０００５】
本発明は上記の従来の問題点に鑑み提案されたものであり、その目的とするところは、ＭＦＰ等の機器の各種情報を収集・設定する既存の仕組を利用することで、新たな設備の追加を行うことなく、機器のデフォルト設定を適正に管理することのできる機器デフォルト設定管理システムを提供することにある。
【課題を解決するための手段】
【０００６】
上記の課題を解決するため、本発明にあっては、請求項１に記載されるように、ネットワークを介して接続された複数の機器の各種情報をサーバ側からセキュリティを確保して収集するとともに前記機器に各種情報を設定する本来機能を有したシステムであって、前記機器の機器ＩＤと当該機器の各種デフォルト設定とを対応付けて管理する手段と、前記機器から出力実績情報を収集し、各機器で使用される頻度の高い設定を算出する手段と、算出された設定を前記各種デフォルト設定と比較し、異なるデフォルト設定について該当する前記機器に対してデフォルト設定の変更を行う手段とを備える機器デフォルト設定管理システムを要旨としている。
【０００７】
また、請求項２に記載されるように、請求項１に記載の機器デフォルト設定管理システムにおいて、前記機器の機器ＩＤと当該機器を使用したユーザのユーザＩＤとを対応付けて管理する手段と、前記機器のいずれかに出力要求がされた際に、出力要求を行ったユーザのユーザＩＤおよび当該機器の機器ＩＤを伴う通知を受信する手段と、受信した通知に含まれるユーザＩＤに対応する機器ＩＤを特定し、当該機器ＩＤに対応する第１の各種デフォルト設定を取得する手段と、前記通知に含まれる機器ＩＤに対応する第２の各種デフォルト設定を取得する手段と、前記第１および第２の各種デフォルト設定を比較し、異なるデフォルト設定について該当する前記機器に対してデフォルト設定の一時的な変更を行う手段とを更に備えるようにすることができる。
【０００８】
また、請求項３に記載されるように、請求項２に記載の機器デフォルト設定管理システムにおいて、前記機器は、前記出力要求に対応する出力動作の完了後に、当該機器のデフォルト設定を変更前の値に戻すようにすることができる。
【０００９】
また、請求項４に記載されるように、請求項１乃至３のいずれか一項に記載の機器デフォルト設定管理システムにおいて、デフォルト設定が消失した前記機器に対し、当該機器について保持されている従前のデフォルト設定に基づいてデフォルト設定の復旧を行う手段を更に備えるようにすることができる。
【００１０】
また、請求項５に記載されるように、ネットワークを介して接続された複数の機器の各種情報をサーバ側からセキュリティを確保して収集するとともに前記機器に各種情報を設定する本来機能を有したシステムに用いられる装置であって、前記機器の機器ＩＤと当該機器の各種デフォルト設定とを対応付けて管理する手段と、前記機器から出力実績情報を収集し、各機器で使用される頻度の高い設定を算出する手段と、算出された設定を前記各種デフォルト設定と比較し、異なるデフォルト設定について該当する前記機器に対してデフォルト設定の変更を行う手段とを備える機器デフォルト設定管理装置として構成することができる。
【００１１】
また、請求項６に記載されるように、請求項５に記載の機器デフォルト設定管理装置において、前記機器の機器ＩＤと当該機器を使用したユーザのユーザＩＤとを対応付けて管理する手段と、前記機器のいずれかに出力要求がされた際に、出力要求を行ったユーザのユーザＩＤおよび当該機器の機器ＩＤを伴う通知を受信する手段と、受信した通知に含まれるユーザＩＤに対応する機器ＩＤを特定し、当該機器ＩＤに対応する第１の各種デフォルト設定を取得する手段と、前記通知に含まれる機器ＩＤに対応する第２の各種デフォルト設定を取得する手段と、前記第１および第２の各種デフォルト設定を比較し、異なるデフォルト設定について該当する前記機器に対してデフォルト設定の一時的な変更を行う手段とを更に備えるようにすることができる。
【００１２】
また、請求項７に記載されるように、ネットワークを介して接続された複数の機器の各種情報をサーバ側からセキュリティを確保して収集するとともに前記機器に各種情報を設定する本来機能を有したシステムの制御方法であって、前記機器の機器ＩＤと当該機器の各種デフォルト設定とを対応付けて管理する工程と、前記機器から出力実績情報を収集し、各機器で使用される頻度の高い設定を算出する工程と、算出された設定を前記各種デフォルト設定と比較し、異なるデフォルト設定について該当する前記機器に対してデフォルト設定の変更を行う工程とを備える機器デフォルト設定管理方法として構成することができる。
【００１３】
また、請求項８に記載されるように、請求項７に記載の機器デフォルト設定管理方法において、前記機器の機器ＩＤと当該機器を使用したユーザのユーザＩＤとを対応付けて管理する工程と、前記機器のいずれかに出力要求がされた際に、出力要求を行ったユーザのユーザＩＤおよび当該機器の機器ＩＤを伴う通知を受信する工程と、受信した通知に含まれるユーザＩＤに対応する機器ＩＤを特定し、当該機器ＩＤに対応する第１の各種デフォルト設定を取得する工程と、前記通知に含まれる機器ＩＤに対応する第２の各種デフォルト設定を取得する工程と、前記第１および第２の各種デフォルト設定を比較し、異なるデフォルト設定について該当する前記機器に対してデフォルト設定の一時的な変更を行う工程とを更に備えるようにすることができる。
【発明の効果】
【００１４】
本発明の機器デフォルト設定管理システムにあっては、新たな設備の追加を行うことなく、機器のデフォルト設定を適正に管理することができる。
【発明を実施するための最良の形態】
【００１５】
以下、本発明の好適な実施形態につき説明する。
【００１６】
＜第１の実施形態＞
図１は本発明の第１の実施形態にかかるシステムのネットワーク構成および処理概要を示す図である。
【００１７】
図１において、オフィス１にはＬＡＮ等のネットワーク１１が設けられ、その上にはＭＦＰや単体プリンタ等の機器１２Ａ、１２Ｂ、１２Ｃが設けられている。また、ネットワーク１１上には機器１２Ａ、１２Ｂ、１２Ｃの各種情報を収集するとともに、機器１２Ａ、１２Ｂ、１２Ｃに対して各種情報を設定するための仲介機器１３が設けられ、仲介機器１３はファイアウォールの機能を有するルータ１４を介してインターネット等のネットワーク２に接続されている。
【００１８】
一方、管理センタ３にはＬＡＮ等のネットワーク３１上に機器情報管理サーバ３２が設けられ、ネットワーク３１はファイアウォールの機能を有するルータ３３を介してネットワーク２に接続されている。
【００１９】
機器情報管理サーバ３２、仲介機器１３等の内部構成については後述するが、機器情報管理サーバ３２と仲介機器１３は、ＭＦＰ等の機器１２Ａ、１２Ｂ、１２Ｃを対象に、印刷枚数等のカウンタ情報、故障等の障害発生情報、トナー切れ等の消耗品残量情報等をネットワーク２を介して収集する遠隔管理システムを構成する。すなわち、仲介機器１３の通信機能により、カウンタ情報等については定常サービスとして定期的（例えば、１日に１回）にネットワーク２を介して管理センタ３側に通知を行い、障害発生情報や消耗品残量情報等については非常サービスとして事象が発生した時点で管理センタ３側に通知を行う。定常サービスとして通知された情報は機器情報管理サーバ３２のデータベースに蓄積され、顧客の機器利用状況の把握や課金等に利用されるが、非常サービスとして通知された情報はサービス拠点等に即座に伝えられ、重要度に応じてサービスマンの派遣等の対応がとられる。なお、機器情報は課金等に影響するとともに、顧客の活動状況を示すものであるため、ＳＳＬ（Secure Socket Layer）等によるセキュアな通信により収集が行われる。
【００２０】
この実施形態では、上記の遠隔管理システムの基本的な機能を利用し、オフィス１内の機器１２Ａ、１２Ｂ、１２Ｃのデフォルト設定を適切な値に設定するようにしている。すなわち、オフィス１内の機器１２Ａ、１２Ｂ、１２Ｃからプリント、スキャン等の出力操作時における設定内容を示す実績情報を管理センタ３の機器情報管理サーバ３２に収集する（ステップＳ１１）。そして、所定の期間にわたる各機器１２Ａ、１２Ｂ、１２Ｃ毎の頻度の高い設定内容を算出し、その時点でのデフォルト設定と異なる機器（１２Ａ、１２Ｂ、１２Ｃ）に対し、デフォルト設定の変更を行う（ステップＳ１２）。
【００２１】
図２は第１の実施形態における各装置の内部構成例を示す図である。
【００２２】
図２において、機器１２（１２Ａ、１２Ｂ、１２Ｃ）は、プリンタ機能、スキャナ機能、ＦＡＸ機能等の本来機能部１２１を備えている。
【００２３】
仲介機器１３は、機器情報通報部１３１と機器情報設定部１３２とを備えている。機器情報通報部１３１は、プリント、スキャン等の出力操作時における設定内容を示す実績情報を含む機器情報を収集して管理センタ３側に通報する機能を有している。機器情報設定部１３２は、管理センタ３側から通報された機器設定情報に基づいて機器１２に対してデフォルト設定を含む機器情報の設定を行う機能を有している。
【００２４】
機器情報管理サーバ３２は、機器情報通報受付部３２１と機器情報通報蓄積部３２２と設定値演算・変更判定部３２３と機器管理部３２４と設定値変更情報蓄積部３２５と機器設定情報通報部３２６とを備えている。
【００２５】
機器情報通報受付部３２１は、仲介機器１３からネットワーク２を介して機器情報の通報を受け付け、機器情報通報蓄積部３２２に蓄積する機能を有している。
【００２６】
設定値演算・変更判定部３２３は、機器情報通報蓄積部３２２に蓄積された各機器の実績情報を所定のタイミング（例えば一定期間毎）で参照し、頻度の高い設定を機器毎に算出し、従前のデフォルト値と違う場合に変更を要する旨のフラグを設定し、設定値変更情報蓄積部３２５に設定値変更情報として蓄積する機能を有している。設定値演算・変更判定部３２３での処理に際し、機器管理部３２４で管理される機器情報を用いる。機器管理部３２４には、機器情報通報受付部３２１で受け付けた通報に含まれる機器情報から例えば機器毎のデフォルト設定の内容が反映される。
【００２７】
機器設定情報通報部３２６は、設定値変更情報蓄積部３２５に蓄積された設定値変更情報に基づき、デフォルト値を変更すべき機器１２に対し、機器設定情報を通報する機能を有している。
【００２８】
図３は各種データの構造例を示す図である。（ａ）は機器管理部３２４に保持される機器情報の例を示しており、機器を特定する「機器ＩＤ」、当該機器の設置される顧客を特定する「顧客ＩＤ」、当該機器の現時点におけるデフォルト設定の値を示す「設定値」の項目を有している。（ｂ）は設定値変更情報蓄積部３２５に蓄積される設定値変更情報の例を示しており、機器を特定する「機器ＩＤ」、設定対象のアプリケーションを特定する「アプリ情報」、当該機器の設置される顧客を特定する「顧客ＩＤ」、利用頻度の高い変更すべき設定の内容を示す「変更設定」、変更の要否を示す「フラグ」の項目を有している。
【００２９】
図４は第１の実施形態の処理例を示すフローチャートである。
【００３０】
図４において、管理センタ３の機器情報管理サーバ３２内の機器情報通報受付部３２１は、オフィス１の仲介機器１３からの機器情報の通報を受け付けると（ステップＳ１０１）、機器情報通報蓄積部３２２に蓄積し（ステップＳ１０２）、これらの処理を繰り返す。
【００３１】
これと並行して、機器情報管理サーバ３２の設定値演算・変更判定部３２３は、周期的に処理を開始し（ステップＳ１１１）、機器情報通報蓄積部３２２から機器情報（実績情報）の通報を読み込む（ステップＳ１１２）。
【００３２】
次いで、設定値演算・変更判定部３２３は、実績情報から機器毎に頻度の高い設定を算出し、機器管理部３２４に保持された機器毎の従前の設定内容と比較して変更の要否を判断し（ステップＳ１１３）、機器ＩＤ、変更設定内容、フラグ等を含む設定値変更情報を設定値変更情報蓄積部３２５に蓄積する（ステップＳ１１４）。
【００３３】
次いで、機器設定情報通報部３２６は設定値変更情報蓄積部３２５の設定値変更情報に基づき、フラグが「変更」となっている機器１２を管理する仲介機器１３に機器設定情報の通報を行い（ステップＳ１１５）、処理を終了する（ステップＳ１１６）。機器設定情報の通報を受けた仲介機器１３は該当する機器１２に対してデフォルト設定の変更を行う。
【００３４】
これにより、機器１２のデフォルト設定は出力実績の頻度が高いものに設定されることとなり、ユーザや管理者が他の値に変更するケースが減少し、操作性が向上する。
【００３５】
なお、障害等によりデフォルト設定が消失した機器１２に対し、当該機器１２について機器管理部３２４もしくは設定値変更情報蓄積部３２５に保持されている従前のデフォルト設定に基づいてデフォルト設定を復旧することもできる。すなわち、設定値演算・変更判定部３２３は、実績情報から機器毎に頻度の高い設定を算出する際あるいは定期的に、機器情報通報蓄積部３２２もしくは機器管理部３２４を探索し、デフォルト設定の消失のある機器１２を発見した場合に、機器管理部３２４もしくは設定値変更情報蓄積部３２５に保持されている当該機器１２の従前のデフォルト設定を取得し、これに基づく設定値変更情報を設定値変更情報蓄積部３２５に蓄積する。機器設定情報通報部３２６はその設定値変更情報に基づいて該当する機器１２のデフォルト設定の変更（復旧）の通報を行う。
【００３６】
＜第２の実施形態＞
図５は本発明の第２の実施形態の構成および処理概要を示す図であり、上述した第１の実施形態で説明したデフォルト設定を変更する機能に加え、ユーザが通常とは違う機器に対して出力要求を行った場合に、その機器のデフォルト設定をそのユーザの通常利用している機器のデフォルト設定に一時的に変更するようにしたものである。
【００３７】
図５においては、図１に示した構成に加え、オフィス５のネットワーク５１が仲介機器５３およびルータ５４を介してネットワーク２に接続されている。オフィス５のネットワーク５１上にはＭＦＰ等の機器５２が設けられている。４は臨時にオフィス５のネットワーク５１に接続された利用者端末である。
【００３８】
図６は第２の実施形態における各装置の内部構成例を示す図である。
【００３９】
図６において、オフィス５に設けられる機器５２、仲介機器５３の内部構成はオフィス１における機器１２、仲介機器１３と同様の構成となっている。なお、オフィス５において、利用者端末４からネットワーク５１を介して機器５２が出力要求を受けると、ユーザＩＤと機器ＩＤを伴う出力要求発生情報が仲介機器５３の機器情報通報部５３１を介して機器情報管理サーバ３２に通報される。
【００４０】
管理センタ３の機器情報管理サーバ３２としては、新たに、一時的設定変更判断部３２７とＩＤ管理部３２８とが設けられている。また、機器情報通報受付部３２１は仲介機器５３から出力要求発生情報の通報を受け付けると、一時的設定変更判断部３２７を起動する機能が追加されている。
【００４１】
一時的設定変更判断部３２７は、起動すると、出力要求発生情報に含まれるユーザＩＤに紐付くデフォルト設定をＩＤ管理部３２８から取得し、出力要求の行われた機器５２に対して一時的にデフォルト設定を変更すべく、機器設定情報通報部３２６に指示を与える機能を有している。
【００４２】
図７はＩＤ管理部３２８で保持されるデータの構造例を示す図であり、ユーザを特定する「ユーザＩＤ」、当該ユーザの利用頻度の高い機器を示す「機器ＩＤ」の項目を有している。ＩＤ管理部３２８におけるユーザＩＤと機器ＩＤの対応付けは、予め管理者等が設定しておいてもよいし、設定値演算・変更判定部３２３で機器毎に頻度の高い設定を算出する際に、ユーザ毎に利用頻度の高い機器を算出してＩＤ管理部３２８に格納するようにしてもよい。
【００４３】
図８は第２の実施形態の処理例を示すフローチャートである。
【００４４】
図８において、機器情報管理サーバ３２の一時的設定変更判断部３２７は、機器情報通報受付部３２１がオフィス５の仲介機器５３から機器５２に対する出力要求発生情報の通報を受け付けることにより処理を開始すると（ステップＳ２０１）、ＩＤ管理部３２８を参照して出力要求発生情報に含まれるユーザＩＤに紐付く機器ＩＤを取得する（ステップＳ２０２）。
【００４５】
次いで、一時的設定変更判断部３２７は機器管理部３２４から当該機器ＩＤで特定される機器（ユーザが通常利用している機器）の現時点の設定内容を取得する（ステップＳ２０３）。
【００４６】
次いで、一時的設定変更判断部３２７は、出力要求発生情報に含まれる出力対象の機器ＩＤで特定される機器のデフォルト設定を機器管理部３２４から取得する（ステップＳ２０３）。
【００４７】
次いで、一時的設定変更判断部３２７はユーザが通常利用している機器のデフォルト設定と出力対象の機器のデフォルト設定とが異なる場合、機器設定情報通報部３２６に対し設定対象の機器５２を指定して機器設定情報の通報を指示し、これに応じ、機器設定情報通報部３２６は機器１２に対してデフォルト設定の変更を行う（ステップＳ２０５）。機器設定情報の通報を受けた仲介機器５３は該当する機器５２に対してデフォルト設定の変更を行う。
【００４８】
その後、仲介機器５３は出力完了を検出すると、元の値にデフォルト設定を復元し（ステップＳ２０６）、処理を終了する（ステップＳ２０７）。なお、デフォルト設定の復元は機器情報管理サーバ３２側において出力完了を検出した際に、仲介機器５３にデフォルト設定の復元を指示することで行ってもよい。
【００４９】
これにより、外出先等において臨時に利用する機器５２のデフォルト設定は、ユーザが通常利用する機器のデフォルト設定に一時的に設定されることとなり、ユーザが他の値に変更するケースが減少し、操作性が向上する。
＜総括＞
以上説明したように、本発明の実施形態によれば、次のような利点がある。
（１）機器のデフォルト設定は出力実績の頻度が高いものに設定されることとなり、ユーザや管理者が他の値に変更するケースが減少し、操作性が向上する。
（２）外出先等において臨時に利用する機器のデフォルト設定は、ユーザが通常利用する機器のデフォルト設定に一時的に設定されることとなり、ユーザが他の値に変更するケースが減少し、操作性が向上する。
（３）ＭＦＰ等の機器の各種情報を収集・設定する既存の仕組を利用することで、新たな設備の追加を行う必要がない。
【００５０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５１】
【図１】本発明の第１の実施形態にかかるシステムのネットワーク構成および処理概要を示す図である。
【図２】第１の実施形態における各装置の内部構成例を示す図である。
【図３】各種データの構造例を示す図である。
【図４】第１の実施形態の処理例を示すフローチャートである。
【図５】本発明の第２の実施形態の構成および処理概要を示す図である。
【図６】第２の実施形態における各装置の内部構成例を示す図である。
【図７】ＩＤ管理部で保持されるデータの構造例を示す図である。
【図８】第２の実施形態の処理例を示すフローチャートである。
【符号の説明】
【００５２】
１                        オフィス
１１                      ネットワーク
１２、１２Ａ〜１２Ｃ      機器
１３                      仲介機器
１３１                    機器情報通報部
１３２                    機器情報設定部
１４                      ルータ
２                        ネットワーク
３                        管理センタ
３１                      ネットワーク
３２                      機器情報管理サーバ
３２１                    機器情報通報受付部
３２２                    機器情報通報蓄積部
３２３                    設定値演算・変更判定部
３２４                    機器管理部
３２５                    設定値変更情報蓄積部
３２６                    機器設定情報通報部
３２７                    一時的設定変更判断部
３２８                    ＩＤ管理部
３３                      ルータ
４                        利用者端末
５                        オフィス
５１                      ネットワーク
５２                      機器
５３                      仲介機器
５３１                    機器情報通報部
５３２                    機器情報設定部
５４                      ルータ
【図１】
2010009289.tif 000003
【図２】
2010009289.tif 000004
【図３】
2010009289.tif 000005
【図４】
2010009289.tif 000006
【図５】
2010009289.tif 000007
【図６】
2010009289.tif 000008
【図７】
2010009289.tif 000009
【図８】
2010009289.tif 000010